(57)【要約】【課題】モデルとなっているペットや人にそっくりの人形を作る際に、簡単に、かつ正確に形をとらえて人形を製作することが可能な人形の製作装置を提供する。【解決手段】人形の製作装置１０は、内部に加工対象Ａを収容でき、外部から加工対象Ａを視認することができる収容箱１００と、加工対象Ａを加工して人形を製作するための型紙となる透明又は半透明の型紙シート２００とを備える。収容箱１００は、少なくとも、型紙シート２００の正面図２１０が固定される第１の面１１０と、平面図２２０が固定される第２の面１２０と、側面図２３０が固定される第３の面とを含む。加工対象Ａと型紙シート２００とを比較しながら、加工対象Ａを正面図２１０、平面図２２０及び側面図２３０にそっくりに加工していくことができる。このようにして、簡単に、かつ正確に形をとらえて人形を製作することが可能である。【選択図】図１
2016007341.tif 000002
【特許請求の範囲】
【請求項１】
人形の製作装置であって、
内部に加工対象を収容でき、外部から前記加工対象を視認することができる収容箱と、
前記加工対象を加工して人形を製作するための型紙となる透明又は半透明の型紙シートと、
を備え、
前記収容箱は、
少なくとも、第１の面と、前記第１の面に垂直な第２の面と、前記第１の面及び前記第２の面に垂直な第３の面とを含み、
前記第１〜第３の面は、前記型紙シートを固定するための固定手段をそれぞれ有することを特徴とする、人形の製作装置。
【請求項２】
前記第１〜第３の面には、グリッドが設けられていることを特徴とする、請求項１に記載の人形の製作装置。
【請求項３】
前記収容箱の内側に網状の箱をさらに設け、
前記網状の箱の網の隙間から前記加工対象を加工することができることを特徴とする、請求項１又は２に記載の人形の製作装置。
【請求項４】
前記固定手段として、前記第１〜第３の面に、前記型紙シートを挿入することができる挿入部を設けたことを特徴とする、請求項１〜３のいずれかに記載の人形の製作装置。
【請求項５】
前記第１の面に、上下方向に移動可能な１つの軸に固定されて相対回転可能な２本の棒状部材を設けたことを特徴とする、請求項１〜４のいずれかに記載の人形の製作装置。
【請求項６】
さらに、前記加工対象を載せて、前記収容箱に対してスライド移動する載置台を備えたことを特徴とする、請求項１〜５のいずれかに記載の人形の製作装置。
【発明の詳細な説明】
【技術分野】
【０００１】
本発明は、人形の製作装置にかかり、特に、モデルとなっているペットや人にそっくりの人形を作るための製作装置に関する。
【背景技術】
【０００２】
記念や思い出の品などにするために、自分の子供やペットなどにそっくりの人形を製作してもらうことがある。従来、このようなそっくりの人形は、モデルとなっているペットや人の写真に基づいて、職人が手作りで製作していた（例えば、非特許文献１、非特許文献２参照）。
【先行技術文献】
【非特許文献】
【０００３】
【非特許文献１】インターネット＜ＵＲＬ：http://mocaa.net/＞
【非特許文献２】インターネット＜ＵＲＬ：http://hamaartscrafts.net/＞
【発明の概要】
【発明が解決しようとする課題】
【０００４】
しかしながら、モデルとなっているペットや人の写真に基づいて人形を製作する場合、そっくりな人形にするためには、これらの形を正確に捉える必要がある。しかし、２次元の写真から３次元の形状を正確に捉えるには、熟練した職人の勘や技術に頼らざるを得ず、誰でも簡単に、かつ正確に形をとらえて人形を製作するというのは、極めて困難であるという問題があった。
【０００５】
そこで本発明は、このような問題に鑑みてなされたもので、その目的とするところは、モデルとなっているペットや人にそっくりの人形を作る際に、簡単に、かつ正確に形をとらえて人形を製作することの可能な、新規かつ改良された人形の製作装置を提供することにある。
【課題を解決するための手段】
【０００６】
上記課題を解決するために、本発明によれば、人形の製作装置であって、内部に加工対象を収容でき、外部から前記加工対象を視認することができる収容箱と、前記加工対象を加工して人形を製作するための型紙となる透明又は半透明の型紙シートと、を備え、前記収容箱は、少なくとも、第１の面と、前記第１の面に垂直な第２の面と、前記第１の面及び前記第２の面に垂直な第３の面とを含み、前記第１〜第３の面は、前記型紙シートを固定するための固定手段をそれぞれ有することを特徴とする、人形の製作装置が提供される。
【０００７】
かかる構成によれば、収容箱の中に加工対象を収容するとともに、収容箱の各面に型紙シートを固定することができる。型紙シートは、少なくとも正面図、平面図及び側面図を固定することができる。そして、加工対象と型紙シートとを比較しながら、加工対象を正面図、平面図及び側面図にそっくりに加工していくことができる。単に加工対象と写真とを見比べたり、加工対象に写真をあてがって製作する場合と比べて、製作中でも型紙シートを水平に維持することができるので、精度の高い人形を製作することができる。このようにして、簡単に、かつ正確に形をとらえて人形を製作することが可能である。
【０００８】
本発明の人形の製作装置は、さまざまな応用が可能である。例えば、前記第１〜第３の面には、グリッド（グリッド線又はグリッド点）が設けられていてもよい。かかる構成によれば、グリッドを基準にして加工対象を加工できるので、より簡単に、より正確に形をとらえて人形を製作することができる。
【０００９】
また、前記収容箱の内側に網状の箱をさらに設け、前記網状の箱の網の隙間から前記加工対象を加工することができるようにしてもよい。網状の箱がグリッドの役割を担うことで、より簡単に、より正確に形をとらえて人形を製作することができる。
【００１０】
また、前記固定手段の一例としては、前記第１〜第３の面に、前記型紙シートを挿入することができる挿入部を設けるようにしてもよい。簡単な構成で型紙シートの挿入及び取り外しが可能となる。また、固定するためのピンなどを用いないことから、型紙シートの全面を有効に使えるとともに、型紙シートを傷つけることもない。
【００１１】
また、前記第１の面には、人形の製作補助具として、上下方向に移動可能な１つの軸に固定されて相対回転可能な２本の棒状部材が設けられるようにしてもよい。型紙シートのうち、人形の正面図の部分に、このような製作補助具を設けることによって、ペットや人の鼻と目の相対的な位置関係を正確に把握することができる。当該部分は、ペットや人の表情を決める最も重要な部分である。このような製作補助具を設けることによって、より正確に人形を製作することができる。
【００１２】
さらに、前記加工対象を載せて、前記収容箱に対してスライド移動する載置台を備えるようにしてもよい。かかる構成によれば、人形製作時における収容箱と加工対象との相対移動を、より簡単に行うことができる。
【００１３】
なお、以上説明した本発明の応用例は、任意に組み合わせることが可能である。
【発明の効果】
【００１４】
本発明によれば、モデルとなっているペットや人にそっくりの人形を作る際に、簡単に、かつ正確に形をとらえて人形を製作することが可能である。なお、本発明のその他の効果は、本明細書及び図面の全体から明らかにされる。
【図面の簡単な説明】
【００１５】
【図１】第１の実施形態にかかる人形の製作装置の斜視図である。
【図２】収容箱の斜視図である。
【図３】型紙シートのうち正面図とその基となる写真との関係を示す図であり、（ａ）は型紙シートの正面図を示し、（ｂ）は写真を示す。
【図４】型紙シートのうち平面図とその基となる写真との関係を示す図であり、（ａ）は型紙シートの平面図を示し、（ｂ）は写真を示す。
【図５】型紙シートのうち側面図とその基となる写真との関係を示す図であり、（ａ）は型紙シートの側面図を示し、（ｂ）は写真を示す。
【図６】図３〜図５の型紙シートの整合を示す図である。
【図７】人形の製作方法の図であり、（ａ）は加工前の加工対象と収容箱を示す図であり、（ｂ）は加工対象を収容箱に収容した状態を示す図であり、（ｃ）は加工対象を加工する状態を示す図であり、（ｄ）は加工後の加工対象と収容箱を示す図である。
【図８】第２の実施形態にかかる人形の製作装置の斜視図である。
【図９】網状の箱をスライドさせた状態を示す図である。
【図１０】製作補助具を設けた構成を示す図である。
【図１１】載置台を設けた構成を示す図である。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
以下の実施形態では、モデルとなっているペットや人にそっくりの人形を作る技術として、羊毛フェルト技術を例に挙げて説明する。まず、羊毛フェルト技術について概説する。
【００１８】
（羊毛フェルト技術）
羊毛フェルト技術においては、針金などの芯材によって形成された人形の骨格に、羊毛を巻き付けたものや、羊毛のかたまりなどを加工対象とする。そして、このような加工対象を羊毛フェルト専用の針で刺すことにより、刺された部分の羊毛がフェルト化して固まる。このように、羊毛を針で刺してフェルト化させていくことにより人形を形成することができる。また、人形の製作過程において、すでにフェルト化した部分に新たな羊毛を添付して、添付した部分を針で刺し、すでにフェルト化した部分の上に新たにフェルト化した部分を一体化させて、加工対象の形状を所望の形状に形成していくことができる。また、添付する羊毛の色を所望の色にすることにより、人形の色を部分的に変えることができる。
【００１９】
以上、羊毛フェルト技術について説明した。以下に、羊毛フェルト技術によって、ペットの人形を製作するための製作装置について説明する。
【００２０】
（第１の実施形態）
本発明の第１の実施形態について、図１〜図７を参照しながら説明する。
図１は、本実施形態に係る人形の製作装置の全体構成を示す図である。本実施形態に係る人形の製作装置１０は、図１に示したように、加工対象Ａの収容箱１００と、加工対象Ａを加工して人形を製作するための型紙シート２１０〜２３０（以下、型紙シート２００と総称する。）とを備える。以下、順に説明する。
【００２１】
（収容箱１００）
図２は、図１の人形の製作装置１０のうち、収容箱１００の部分のみを示したものである。収容箱１００は、図１及び図２に示したように、内部に加工対象Ａを収容でき、外部から加工対象Ａを視認することができる。本実施形態では、収容箱１００は、透明又は半透明の素材（例えば、プラスチック等）から構成されており、これにより、外部から加工対象Ａを視認することができる。
【００２２】
収容箱１００の大きさは、製作する人形に応じて適切な大きさ及び形状とすることができる。例えば、製作する人形の大きさが５ｃｍ×１５ｃｍ×２５ｃｍ程度の場合、収容箱１００の大きさ及び形状は、例えば、１０ｃｍ×２０ｃｍ×３０ｃｍ程度の直方体とすることができる。収容箱１００には、水平方向や垂直方向にグリッドを設けるようにしてもよい（図示せず）。グリッドは線や点であってもよく、間隔も任意に設定可能である。このようなグリッドを設けると、グリッドを基準にして加工対象Ａを加工できるので、より簡単に、より正確に形をとらえて人形を製作することができる。
【００２３】
なお、実際の人形製作の場では、収容箱１００は、予めさまざまなサイズのものを用意しておき、製作する人形のサイズにあわせて適切なものを選択するようにしてもよく、あるいは、人形製作の都度、製作する人形のサイズに適合するように、収容箱１００を製作してもよい。
【００２４】
収容箱１００には、後述する型紙シート２００が固定される。収容箱１００は、型紙シートのうち正面図２１０が固定される面（第１の面）１１０と、型紙シート２００のうち平面図２２０が固定される面（第２の面）１２０と、型紙シート２００のうち側面図２３０が固定される面（第３の面）１３０を少なくとも備える。図１に示した一例では、第２の面１２０は第１の面１１０に垂直であり、第３の面１３０は第１の面１１０及び第２の面１２０に垂直である。また、図１に示した一例では、収容箱１００は、さらに、側面図２３０の反対側の側面図が固定される面として、面１３０に対向する面１４０を備える。
【００２５】
各面１１０〜１４０は、型紙シート２００（２１０〜２３０）を固定するための固定手段を有している。本実施形態では、固定手段の一例として、各面１１０〜１４０が二重のパネルになっており、いわゆる硬質のカードケースのような形状になっている。この二重のパネル間に型紙シート２００を挿入することによって、型紙シート２００が固定される。各面１１０〜１４０には、一般的な硬質のカードケースと同様に、二重のパネル間に型紙シート２００を挿通する際に指を掛ける切欠き部分１１０ａ〜１４０ａが設けられている。
【００２６】
（型紙シート２００）
型紙シート２００（２１０〜２３０）は、加工対象Ａを加工して人形を製作するための型紙となるものである。上述したように、型紙シート２００は、収容箱１００の各面１１０〜１４０に固定される。型紙シート２００は、収容箱１００の内部に収容される加工対象Ａを視認することができるように、透明又は半透明のシート状部材（例えば、プラスチック等）で構成される。以下、各型紙シート２００について、順に説明する。
【００２７】
型紙シート２００のうち正面図２１０は、図３（ａ）に示したように、ペットの正面の姿形である。このような正面図２１０は、図３（ｂ）に示したようなモデルとなるペットの正面の写真に基づいて製作される。図３中の数値は一例である。なお、写真から図を起こす方法としては、人形製作者がトレースしてもよく、あるいは、その他のさまざまな技術（例えば、コンピュータを用いたデジタル処理技術）を採用してもよい。ペットの正面の写真は、人形の製作者自身で用意してもよく、あるいは、人形の製作依頼者から提供されてもよい。なお、写真から図を起こす方法については、さらに後述する。
【００２８】
以下同様に、型紙シート２００のうち平面図２２０は、図４（ａ）に示したように、ペットの平面の姿形であり、図４（ｂ）に示したようなモデルとなるペットの側面の写真に基づいて、製作される。また、型紙シート２００のうち側面図２３０は、図５（ａ）に示したように、ペットの側面の姿形であり、図５（ｂ）に示したようなモデルとなるペットの側面の写真に基づいて、製作される。なお、図４及び図５中の数値は一例である。図示はしていないが、反対側の側面図や、その他の面の図を作る場合も同様である。
【００２９】
このように、型紙シート２００のうち正面図２１０、平面図２２０、側面図２３０は、モデルとなるペットの写真に基づいて忠実に再現したものである。ただし、基となる写真のサイズは必ずしも整合しているとは限らない。基となる写真のサイズが整合していないと、正面図２１０、平面図２２０、及び側面図２３０のサイズも整合しない。
【００３０】
写真の段階で整合を図ることは比較的難しいと考えられるので、以下のように型紙シート２００を調整して、サイズの整合を図る。図６は、型紙シートの正面図２１０、平面図２２０、及び側面図２３０の整合についての図である。
【００３１】
まず、３方向の写真をそれぞれトレースする。この際、大きさはバラバラであってもよい。そして、側面２３０について、ワイヤーのラインを入れて、背骨の長さを基準値（例：１１０ｍｍ）に縮小する。そして、側面２３０の頭にガイドラインを引くとともに、首、足の床の線、マズルの高さ、目の位置などにガイドラインを入れる。そして、そのガイドラインを長く延ばして、正面２１０の写真をそのガイドラインに合わせて配置し、そのガイドラインの頭先から足先で縮小し合わせる。目鼻がずれているので、位置を修正する。側面２３０のガイドラインから調整する。
【００３２】
正面２１０の写真から、縦のガイドラインを入れる。平面２２０からは、正面２１０と側面２３０の両方とも合わせて画像を反転させてから、側面２３０からのガイドラインを延長し、お尻や鼻や頭をガイドラインからサイズを合わせる。こうして全体を関連付けて作っておいてから、それぞれを別に抽出し、３面の図を作る。
【００３３】
上記例では基準値は１１０ｍｍであるが、基準値を変更することで簡単にサイズを変更できる。なお、型紙シート２００のサイズの整合の仕方は、上記例に限定されない。
【００３４】
以上、本実施形態にかかる人形の製作装置１０について説明した。以下に、この人形の製作装置１０を用いた人形の製作方法について、図７を参照しながら説明する。
【００３５】
まず、図１に示したように、収容箱１００に型紙シート２００を固定するとともに、収容箱１００の背面側から加工対象Ａを収容箱１００に挿入し、設置する。図７（ａ）は、加工対象Ａを収容箱１００に挿入する動作を概念的に示したものである。なお、図７中に図示した矢印は相対的な移動方向を示しており、加工対象Ａの方を動かしてもよく、型紙シート２００の方を動かしてもよい。
【００３６】
図７（ｂ）は、型紙シート２００と加工対象Ａの形状が一致していない状態を概念的に示している。ここで形状が一致していないとは、型紙シート２００との比較で、加工対象Ａに必要な加工がいまだ行われていないことを言う。図７（ｂ）の一例では、型紙シート２００には目が描かれているのに対し、加工対象Ａには、目の加工がいまだ行われていない。
【００３７】
そこで、図７（ｃ）に示したように、収容箱１００と加工対象Ａとを相対移動して、加工対象Ａを取り出す。そして、加工対象Ａを型紙シート２００に一致させるように、加工を施す。例えば、加工対象Ａの目の部分に針Ｎを適切な回数刺すことにより、加工対象Ａに加工を施す。
【００３８】
そして再び、図７（ｄ）に示したように、加工対象Ａを収容箱１００に収容する。このとき、型紙シート２００と加工対象Ａの形状が一致していれば、当該部分の加工が適正に行われたことになる。また、型紙シート２００と加工対象Ａの形状が一致していない箇所については、再び図７（ｂ）の工程に戻り、加工を繰り返す。
【００３９】
以上の動作を、型紙シート２００の正面図２１０、平面図２２０、側面図２３０のすべてに対して行う。必要に応じて、すでに終えた加工を繰り返すことで、全体的な整合を図る。このようにして、型紙シート２００に適合するような精度の高い人形を製作することができる。
【００４０】
（第１の実施形態の効果）
以上説明したように、本実施形態によれば、収容箱１００に型紙シート２００を固定することによって、製作中でも型紙シート２００を水平に維持することができ、加工対象Ａと型紙シート２００とを比較しながら、加工対象Ａを型紙シート２００にそっくりに加工していくことができる。このようにして、簡単に、かつ正確に形をとらえて羊毛フェルト人形を製作することが可能である。職人技を必要とせず、簡単に本物そっくりの羊毛フェルト人形を製作できることから、羊毛フェルト技術を広く一般に普及させることができる。本実施形態の人形の製作装置１０は、羊毛フェルト人形の製作レッスン教室などにも用いることができる。
【００４１】
（第２の実施形態）
本発明の第２の実施形態について説明する。本実施形態では、上記第１の実施形態と異なる点を中心に説明する。
【００４２】
本実施形態にかかる人形の製作装置２０は、図８に示したように、加工対象Ａの収容箱１００と、加工対象Ａを加工して人形を製作するための型紙シート２００と、加工対象Ａを収容でき、網の隙間から加工対象Ａを加工することができる網状の箱３００と、を備える。
【００４３】
上記人形の製作装置２０の構成要素のうち、加工対象Ａ、収容箱１００、及び型紙シート２００については、上記第１の実施形態で説明したものと同様のものを用いることができる。以下では、本実施形態に特徴的な構成要素である網状の箱３００について説明する。
【００４４】
網状の箱３００は、加工対象Ａを収容するものであり、網の隙間から加工対象Ａを加工することができるものである。そして、網状の箱３００は、型紙シート２００が固定された収容箱１００との間で、相対的に移動可能である。
【００４５】
網状の箱３００は、図８に示したように、加工対象Ａを収容できる大きさであって、収容箱１００より一回り小さく構成される。網状の箱３００は、複数本の線材３１０が所定間隔で上下左右に組み付けられることにより構成されている。線材３１０は金属やプラスチックなど任意の材料で構成することができる。網状の箱３００の網目の大きさは、加工対象Ａを加工する針Ｎを挿通可能であり、加工対象Ａを針Ｎで加工する際に、針Ｎの動きを妨げない大きさとなっている。
【００４６】
網状の箱３００の骨格をなす線材３１０は、グリッド線としても機能する。このため、加工対象Ａが網状の箱３００に収容された状態で、収容箱１００及び網状の箱３００を介して加工対象Ａを見ると、型紙シート２００と加工対象Ａと網状の箱３００の線材３１０とが重なって見える。これにより、加工対象Ａの型紙シート２００からずれている部分の位置が、線材３１０によって特定しやすくなる。よって、収容箱１００を移動させて網状の箱３００からずらしても、網状の箱３００の線材３１０からの位置によって加工対象Ａの加工する部分が特定できる。
【００４７】
以上、本実施形態にかかる人形の製作装置２０について説明した。
以下に、この人形の製作装置２０を用いた人形の製作方法について、図９を参照しながら説明する。基本的な製作の工程については、上記第１の実施形態（図７）で説明した製作の工程と同様であるが、本実施形態では、以下の点が異なっている。以下に、図７も適宜参照しつつ、上記第１の実施形態と異なる点を中心に説明する。
【００４８】
加工対象Ａは、人形の製作途中では、網状の箱３００に収容された状態のままである。そして、加工対象Ａと型紙シート２００とを比較する際には、図９に示したように、収容箱１００と網状の箱３００とを相対移動させて、収容箱１００内に網状の箱３００及び加工対象Ａを収容する（図７（ａ）、（ｂ）も参照のこと）。この比較の際に、網状の箱３００の線材３１０がグリッド線となり、加工対象Ａの加工する部分が容易に特定される。
【００４９】
そして、加工対象Ａを加工する際には、収容箱１００と網状の箱３００とを相対移動して、網状の箱３００と加工対象Ａを取り出す。そして、加工対象Ａを型紙シート２００に一致させるように、針Ｎを用いるなどして加工を施す（図７（ｃ）も参照のこと）。このとき、網状の箱３００の網の隙間から加工対象Ａを加工することができる。
【００５０】
そして再び、網状の箱３００を収容箱１００に収容する。このとき、型紙シート２００と加工対象Ａの形状が一致していれば、当該部分の加工が適正に行われたことになる。また、型紙シート２００と加工対象Ａの形状が一致していない箇所については、再び加工を繰り返す（図７（ｄ）も参照のこと）。その他、説明を割愛した部分については、上記第１の実施形態と同様である。
【００５１】
（第２の実施形態の効果）
以上説明したように、本実施形態によれば、上記第１の実施形態の効果に加え、網状の箱３００を採用したことで、網状の箱３００の線材３１０がグリッド線の機能を有するため、加工対象Ａの加工個所が特定しやすくなる。このようにして、より簡単に羊毛フェルト人形を製作することができる。
【００５２】
（その他の実施形態）
その他の実施形態として、上記第１、第２の実施形態の応用例について説明する。
【００５３】
（応用例１）
図１０に示したように、収容箱１００の正面に、加工対象Ａの特に顔を加工する際に用いられる製作補助具４００を設けるようにしてもよい。この製作補助具４００は、上下方向に移動可能な１つの軸４１０と、この軸４１０に固定されて互いに相対回転可能でありかつ姿勢を固定可能な２本の棒状部材４２０と、収容箱１００の正面の幅方向中央位置に上下方向全長にわたって伸び、軸４１０の外周の一部がはめ込まれるレール４３０と、から構成される。
【００５４】
軸４１０は、外力が加えられていないときは、レール４３０にはめ込まれた部分とレール４３０との摩擦により移動が規制されるが、例えば、手で持って移動させるなど、所定以上の大きさの外力が加えられると、レール４３０に沿って移動するようになっている。レール４３０は、収容箱１００に固定されていてもよく、軸４１０及び２本の棒状部材４２０とともに収容箱１００から着脱できるようになっていてもよい。
【００５５】
次に、製作補助具４００の作用について説明する。
製作補助具４００は、加工対象Ａの特に顔を加工する際に用いられ、例えば、軸４１０をレール４３０に沿って上下動させて型紙シート２００の正面図２１０のペットの鼻の位置にあわせ、２本の棒状部材４２０をコンパスのように相対回転させて型紙シートの正面図２１０のペットの両目の位置にそれぞれ合わせることができる。これにより、正面図２１０のペットの鼻と両目の位置と収容箱１００内の加工対象Ａの鼻と両目の位置のずれを容易に確認することができる。製作補助具４００を用いることにより、このようにして人形の特に重要な部分である、顔の完成度を高めることができる。
【００５６】
また、製作補助具４００の軸４１０をレール４３０に沿って上下方向に移動させることができるとともに、２本の棒状部材４２０のなす角度を変更することができるため、様々な形状の加工対象Ａに対して、同じ製作補助具４００で対応することができる。
【００５７】
なお、本応用例の製作補助具４００においては、軸４１０の移動および固定にレール４３０を用いたが、これに限定されない。すなわち、レール４３０の代わりに、収容箱１００内の正面にマグネットを移動可能に配設し、軸４１０を磁力で吸着することにより、軸４１０を収容箱１００に固定するようにしてもよい。これにより、軸４１０をマグネットとともに所望の位置に移動させることができる。
【００５８】
（応用例２）
上記実施形態では、収容箱１００や網状の箱３００と、加工対象Ａとを相対的に移動させることについて説明した。この相対移動をスムーズに行うために、図１１に示したように、加工対象Ａを台車付きの載置台５００に載せるようにしてもよい。載置台５００の後端部には取っ手５１０が設けられており、この取っ手５１０を持つことにより、台５００を容易に移動させることができる。
【００５９】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６０】
例えば、羊毛フェルト人形を例に挙げて説明したが、本発明はこれに限定されない。モデルとなるペットや人とそっくりの人形を作るあらゆる人形製作の際に、本発明を用いることができる。
【００６１】
また、上記実施形態及び応用例においては、収容箱１００の構成として、正面（第１の面）１１０、平面（第２の面）１２０、側面（第３の面）１３０、側面１４０の４面を有する構成について説明したが、本発明はこれに限定されない。収容箱の構成として、面の数を３つにしたり、５つ以上にすることも可能である。なお、面の数を３つにした場合、収容箱が不安定にならないように、バランスを保つ脚部などを設けることもできる。また、面の数を５つ以上にした場合、収容箱と加工対象とを相対移動させることが難しくなることも考えられる。このような場合には、ある面を窓のようにスライド移動させたり、ある面を一時的に取り外せるようにしたりすることで、加工作業をしやすくするようにしてもよい。なお、人形製作の際に、型紙シートを収容箱のすべての面に入れる必要はない。
【００６２】
また、上記実施形態及び応用例においては、収容箱１００が二重のパネルを有しており、この二重のパネル間に型紙シート２００が挿入されることによって、型紙シート２００が収容箱１００に固定される構成について説明したが、本発明はこれに限定されない。例えば、収容箱１００を一枚のパネルで構成し、パネル上に型紙シート２００を貼り付けて収容箱１００に固定するようにしてもよい。また、収容箱１００を箱型の枠のみで構成し、その枠に型紙シート２００の端部を挿入して固定するようにしてもよい。
【００６３】
さらにまた、上記実施形態で説明した収容箱や型紙シートを用いずに、上記第２の実施形態で説明した網状の箱３００のような箱に、直接、正面図、側面図、及び平面図を印刷するようにしてもよい。これにより、網状の箱に描かれた図と網状の箱内に置かれた加工対象物とを、常に重ね合わせて見ながら加工することがき、加工精度及び作業効率が向上する。
【産業上の利用可能性】
【００６４】
本発明は、人形の製作装置に利用可能であり、特に、モデルとなっているペットや人にそっくりの人形を作るための製作装置に利用可能である。
【符号の説明】
【００６５】
１０    人形の製作装置（第１の実施形態）
２０    人形の製作装置（第２の実施形態）
１００  収容箱
１１０  正面（第１の面）
１２０  平面（第２の面）
１３０  側面（第３の面）
１４０  側面
２００  型紙シート
２１０  正面図
２２０  平面図
２３０  側面図
３００  網状の箱
４００  製作補助具
４１０  軸
４２０  棒状部材
４３０  レール
５００  載置台
５１０  取っ手
Ａ      加工対象
Ｎ      針
【図１】
2016007341.tif 000003
【図２】
2016007341.tif 000004
【図３】
2016007341.tif 000005
【図４】
2016007341.tif 000006
【図５】
2016007341.tif 000007
【図６】
2016007341.tif 000008
【図７】
2016007341.tif 000009
【図８】
2016007341.tif 000010
【図９】
2016007341.tif 000011
【図１０】
2016007341.tif 000012
【図１１】
2016007341.tif 000013